(57)【特許請求の範囲】
【請求項１】
電子回路を内蔵し環状帯が連結された筐体の一部に配され前記電子回路に対する駆動電力を供給する電池が前記環状帯の幅方向へ向けて収容される収容部と、
前記収容部の端部における前記電池の出入り口となる開口部を覆い前記筐体に連結された開閉可能な蓋部材と、
前記収容部内に配され前記収容部からの前記電池の取り出し方向へ前記電池を付勢する付勢部材と、
を備え、
前記蓋部材は、
前記開口部を覆う蓋本体と、
前記蓋本体の前記環状帯に近い位置に形成された回動軸部と、
前記回動軸部の軸中心に交差する方向に延びて前記蓋本体の前記環状帯と反対側に形成された爪部と、
を有し、
前記筐体は、
前記爪部を挿入可能な窪み部と、
前記窪み部よりも前記環状帯に近い位置に形成され前記回動軸部が挿入される溝部と、
前記溝部に対して前記収容部への前記電池の挿入方向にずれた位置で前記溝部に連なり、前記窪み部への前記爪部の挿入方向に沿って窪み部に近づくように延び、前記回動軸部が移動可能に挿入されるレール部と、
を有し、
前記レール部は、前記爪部が延びる方向、および、爪部が延びる方向と前記回動軸部の軸方向との両方向と交差する方向へ前記回動軸部を案内し、
前記溝部と前記レール部との境界部分に配され前記電池の挿入方向に向かって凸となる突起をさらに有する体表装着型携帯電子機器。
【請求項２】
前記付勢部材は、接点電極である請求項１に記載の体表装着型携帯電子機器。
【請求項３】
前記電池は、直列接続され、前記接点電極は、両極とも付勢部材である請求項２に記載の体表装着型携帯電子機器。
【請求項４】
前記電池は互いに平行かつ正負の極性が逆の向きに２本設けられ、
前記蓋部材は、前記電池の正極及び負極に接続される第１、第２の電池端子金具を有し、
前記第１の電池端子金具は、前記電池の正極に対応する位置に設けられ、
前記第２の電池端子金具は、前記電池の正極の外径より外方であって、前記電池の負極の外径より内方の円周上に設けられた、
請求項１から３のいずれか一項に記載の体表装着型携帯電子機器。
【発明の詳細な説明】
【技術分野】
【０００１】
本発明は、体表装着型携帯電子機器に関する。
【背景技術】
【０００２】
ケースに収容した電池を入れ替えるためにケースに対して開閉する蓋を有するものがある。このような背景に関連する技術としては、様々なものが知られている（例えば、特許文献１参照。）。
【０００３】
例えば、特許文献１には、電池蓋体と、ヒンジ板と、前カバーの底部に支持されるヒンジピンと、を有する電池蓋構造が記載されている。特許文献１に記載された電池蓋構造は、電池収納室を開放する場合、電池蓋体の係止爪が係止穴から外れる係止解放位置までスライドさせ、電池蓋体を回動させることにより、電池収納室を開放させる。特許文献１に記載された電池蓋構造は、構成部品点数が少なく、組み付け簡単である。
【０００４】
蓋を閉じる途中で誤って外蓋を内蓋に対してロック方向にスライドさせてしまった場合、無理に蓋の閉じ操作を続行すると、ロック用突起やスライドレールなどを破損させるおそれがある。このような背景に関連する技術としては、様々なものが知られている（例えば、特許文献２参照。）。
【０００５】
例えば、特許文献２には、外蓋が内蓋に対してスライド前の位置に戻ることを防止する戻り防止機構を有する蓋が記載されている。特許文献２に記載された蓋は、収容穴を備えた本体に回転可能に支持される内蓋と、内蓋に対してスライド可能で本体の被ロック部に取り外し可能にロックするロック部を有し、内蓋と共に本体に対して開閉可能な外蓋と、外蓋を内蓋に対して一旦スライドさせてロック部を本体の被ロック部から外した状態での、内蓋及び外蓋の開閉中に、外蓋が内蓋に対してスライド前の位置に戻ることを防止する戻り防止機構と、を備えた。特許文献２に記載された蓋によって、蓋の閉じ時に外蓋が内蓋に対してスライドして破損に至るのを回避することができる。
【０００６】
衝撃等で電池蓋が簡単に開いて安定した電源供給ができなくならないようにするために、電池蓋をスライドさせる動作と、電池蓋の端面を持ち上げて回動させる動作と、が必要である。このような背景に関連する技術としては、様々なものが知られている（例えば、特許文献３参照。）。
【０００７】
例えば、特許文献３には、電池蓋を、閉蓋状態から手指の掛かりで、スライド操作に連続して回動操作を行うことにより開蓋可能とした電池収納装置が記載されている。特許文献３に記載された電池収納装置は、電池蓋に、蓋主面内側に形成され電池端子にスライド可能に嵌合する嵌合部と、機器本体に形成された係合部にロックされるロック片と、蓋側面に形成され電池蓋を開閉操作する際の手指の掛かりとなる凸状部と、を有する。このようにして、この電池収納装置によっては、電池収納部の電池蓋の開蓋操作を１アクションの操作で可能である。
【０００８】
電池蓋の回動の支点部を電池収納部の開口部の外側に設ける必要があり、電池蓋が、充電池の外形寸法よりもかなり大型となってしまう。このような背景に関連する技術としては、様々なものが知られている（例えば、特許文献４参照。）。
【０００９】
例えば、特許文献４には、蓋体を、機器本体に対してスライドした後に、回動自在に組み付けた蓋体の開閉機構が記載されている。特許文献４に記載された蓋体の開閉機構は、蓋体は、収納部の開口部付近において被収納物の収納方向に対峙して立設される対峙部とこの対峙部の端部から収納方向に延びて収納部の側面に第１支点にて軸支されかつこの収納部の側面に平行に回動される側面板とを有する対峙部材と、対峙部材の対峙部における収納方向外側にてこの対峙部にスライド自在に支持されかつその端部にて機器本体に係止される蓋体外観部とを有する。このようにして、この蓋体の開閉機構によっては、開閉操作が簡単であると共に、蓋体のスライドロックが外れ難く、かつ蓋体のスライドロックが外れても直ぐに被収納物が脱落するのを防止できる。
【００１０】
電池カバーを指で押し込むと、電池カバーと筐体との摩擦力が増加し、電池カバーがスライド、回転しにくくなってしまう。このような背景に関連する技術としては、様々なものが知られている（例えば、特許文献５参照。）。
【００１１】
例えば、特許文献５には、端子係合コーナーが電池カバーの係合凸部を乗り越えられる力で電池カバーを回転させる電池収容部構造が記載されている。特許文献５に記載された電池収容部構造は、電池カバーを閉めるに際して、電池カバーに設けた押圧リブが、電池の軸に直交する面における負電極端子の最外縁で、かつ、電池軸を挟んでその両側に位置する領域において、負電極端子に当接し、電池をその軸方向に押圧するように押圧リブが負電極端子を変形する。このようにして、この電池収容部構造によっては、操作性に優れ、電池収容室を密閉する電池カバーを筐体に容易に固定することができる。
【先行技術文献】
【特許文献】
【００１２】
【特許文献１】特開２００３−１４２８４１号公報
【特許文献２】特開２００８−００４３４８号公報
【特許文献３】特開２００６−１４７４４３号公報
【特許文献４】特許第４１８３８２９号公報
【特許文献５】特許第２９８４６６２号公報
【発明の概要】
【発明が解決しようとする課題】
【００１３】
２４時間の間人体に装着され続けるウェアブル機器は、人体への装着状態において邪魔にならないような薄型で小型の外形が要求される。また、人体への装着状態において外力等によって意図せずに電池の蓋が開放されないようにする必要がある。それは、電池の蓋が閉じられることにより電池への通電回路が形成されるようになっている場合、人体への装着状態において電池の蓋が開放されてしまうと、制御回路への電流の供給が停止して、計測が中断されてしまうからである。そして、外出時等に電池の電力がなくなった場合でも、使用者が容易に電池の交換を行えるようにする必要がある。その際、人体に装着したままの状態で、片手で電池の交換を行えるようにする必要がある。
【００１４】
ところが、特許文献１に記載の技術は、電池蓋体の係止爪を係止穴から外れる係止解放位置までスライドさせ、電池蓋体を回動させることにより、電池蓋体が容易に開放してしまうために、人体への装着時に意図せずに電池蓋体が開放してしまうおそれがある。
【００１５】
また、特許文献２に記載の技術は、外蓋を内蓋に対して矢印方向にスライドさせてロック用突起をロック用穴から外すだけで蓋を容易に開放できるために、人体への装着時に意図せずに蓋が開放してしまうおそれがある。
【００１６】
また、特許文献３に記載の技術は、閉蓋状態から手指の掛かりで、スライド操作に連続して回動操作を行うことにより電池蓋が容易に開蓋されるために、人体への装着時に意図せずに電池蓋が開放してしまうおそれがある。
【００１７】
そして、特許文献４に記載の技術は、蓋体は、スライドして端部における機器本体への係止を解除してから、蓋体及び対峙部材からなる蓋体の全体を、第１支点を中心として回動させることにより開放される。そのため、人体への装着時に意図せずに蓋体が意図せずに開放してしまうおそれがある。
【００１８】
加えて、特許文献５に記載の技術は、端子係合コーナーが電池カバーの係合凸部を乗り越えられる力で電池カバーを回転させるだけで電池カバーが容易に開放するために、人体への装着時に外力等によって意図せずに電池カバーが開放してしまうおそれがある。
【００１９】
本発明の目的は、上述した課題を解決する体表装着型携帯電子機器を提供することにある。
【課題を解決するための手段】
【００２０】
本発明の第１の形態は、電子回路を内蔵し環状帯が連結された筐体の一部に配され電子回路に対する駆動電力を供給する電池が収容される収容部と、収容部における電池の出入り口となる開口部を覆い筐体に連結された開閉可能な蓋部材と、収容部内に配され収容部からの電池の取り出し方向へ電池を付勢する付勢部材とを備え、蓋部材は、開口部を覆う蓋本体と、蓋本体に形成された回動軸部と、回動軸部の軸中心に直交する方向に延びて蓋本体に形成された爪部と、を有し、筐体は、爪部を挿入可能な窪み部と、窪み部よりも環状帯に近い位置に形成され回動軸部が挿入される溝部と、溝部に対して収容部への電池の挿入方向にずれた位置で溝部に連なり、窪み部への爪部の挿入方向に沿って窪み部に近づくように延び、回動軸部が移動可能に挿入されるレール部と、を有する体表装着型携帯電子機器である。
【００２１】
なお、上記の発明の概要は、本発明の必要な特徴の全てを列挙したものではない。また、これらの特徴群のサブコンビネーションもまた、発明となり得る。
【発明の効果】
【００２２】
以上の説明から明らかなように、この発明によっては、意図せずに蓋部材が開放してしまうことがなく、人体に装着したままで片手で電池交換を簡単に行うことができる。
【図面の簡単な説明】
【００２３】
【図１】一実施形態に係る体表装着型携帯電子機器の概念図である。
【図２】一実施形態に係る体表装着型携帯電子機器の具体例を示す一部破断外観斜視図である。
【図３】体表装着型携帯電子機器の一例を示す外観斜視図である。
【図４】体表装着型携帯電子機器の一例を示す正面図である。
【図５】体表装着型携帯電子機器の一例を示す平面図である。
【図６】図５のＡ−Ａ線断面図である。
【図７】図５のＢ−Ｂ線断面図である。
【図８】図５のＣ−Ｃ線断面図である。
【図９】蓋部材の平面図である。
【図１０】蓋部材の底面図である。
【図１１】図８のＤ−Ｄ線断面図である。
【図１２】電池と蓋部材との接続状態を示す説明図で、（ａ）は正しく接続されている時、（ｂ）は逆差し時を示す。
【図１３】電池端子金具の外観斜視図である。
【図１４】蓋部材の動作を説明する第１段階の模式図である。
【図１５】蓋部材の動作を説明する第２段階の模式図である。
【図１６】蓋部材の動作を説明する第３段階の模式図である。
【図１７】蓋部材の動作を説明する第４段階の模式図である。
【発明を実施するための形態】
【００２４】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００２５】
図１は、本実施形態に係る体表装着型携帯電子機器の概念図である。
図１に示すように、本発明に係る一実施形態の体表装着型携帯電子機器１００は、電池３０、３１の収容部２２と、溝部２５ａが形成された軸受部２５と、蓋部材５０のロック機構４０と、収容部２２の底に配され電池３０，３１を介して蓋部材５０を持ち上げる付勢部材となるバネ接点２３，２４と、マンシェット１０と、を備える。
【００２６】
次に、本発明に係る一実施形態の体表装着型携帯電子機器の具体的構造について説明する。図２は、本実施形態の体表装着型携帯電子機器の具体例を示す一部破断外観斜視図である。図３は、本実施形態の体表装着型携帯電子機器の一例を示す外観斜視図である。
図２、３に示すように、体表装着型携帯電子機器１００は、マンシェット１０と、電子回路２１を内蔵したケース２０と、電池３０、３１と、蓋部材５０と、を備える。マンシェット１０は、本発明の「環状帯」の一例であってもよい。ケース２０は、本発明の「筐体」の一例であってもよい。体表装着型携帯電子機器１００は、２４時間の間人体に装着され続けるウェアブル機器の一例である血圧計である。
【００２７】
マンシェット１０は、人体Ｐに対して肌触りのよい布製であってベルト形状を有している。マンシェット１０は、一部にケース２０を固定しており、折り返し部１１を介して、人体Ｐの体表に巻き付いて例えば面ファスナー等により体表に固定する。
【００２８】
ケース２０は、例えば若干の弾性を有する樹脂製であって電子回路２１を内蔵しており、電子回路２１に対する駆動電力を供給する電池３０、３１を収容可能な内形の収容部２２を有する。収容部２２には、電池３０、３１の出入り口となる開口部２２ａが形成されている。収容部２２の底部には、収容部２２からの電池３０、３１の取り出し方向へ電池３０、３１を付勢する一対のバネ接点２３、２４を有する。バネ接点２３、２４は、接点電極であって、電子回路２１に電気的に接続する。このとき、電池３０、３１は、電子回路２１に供給する駆動電力及び体表装着型携帯電子機器１００の全体の重量を考慮して直列回路を構成する。そのため、電池３０のプラス端子３０ａは、電池３１のマイナス端子３１ａに電気的に接続し、電池３０の不図示のマイナス端子は、バネ接点２３を通じて電子回路２１に電気的に接続し、電池３１の不図示のプラス端子は、バネ接点２４を通じて電子回路２１に電気的に接続する。バネ接点２３、２４は、コイルバネであって、本発明の「付勢部材」の一例であってもよい。また、バネ接点２３、２４は、コイルバネに代えて、板バネ接点であってもよい。
【００２９】
ケース２０は、蓋部材５０に有し、ロック機構４０の一部を構成する爪部５０ｃを挿入可能であってロック機構４０の他の一部を構成する窪み部２０ａを有する。窪み部２０ａは、収容部２２の開口部２２ａにおいてマンシェット１０から離れた中央部の側部にＬ字形状に突出している。なお、窪み部２０ａは、収容部２２の開口部２２ａにおいてマンシェット１０から離れた中央部の側部に限らず、ケース２０の側部に角孔形状に形成してもよい。ケース２０は、収容部２２の開口部２２ａにおける両側部に一対の軸受部２５、２５を有する。これら軸受部２５、２５には、窪み部２０ａよりもマンシェット１０に近い位置に形成されて蓋部材５０形成された回動軸部（図９参照）５０ｂ、５０ｂを挿入する溝部２５ａ、２５ａを有する。そして、これら軸受部２５、２５には、溝部２５ａ、２５ａに対して収容部２２への電池３０、３１の挿入方向にずれた位置で溝部２５ａ、２５ａに連なり、窪み部２０ａへの爪部５０ｃの挿入方向に沿って窪み部２０ａに近づくように延びて回動軸部５０ｂ、５０ｂが移動可能に挿入されるレール部２５ｂ、２５ｂ、を有する。
【００３０】
図４は、体表装着型携帯電子機器１００の一例を示す正面図である。図５は、体表装着型携帯電子機器１００の一例を示す平面図である。
図４、図５に示すように、ケース２０は、マンシェット１０の幅寸法Ｌ１に略等しい幅寸法Ｌ２を有する。軸受部２５、２５には、収容部２２の開口部２２ａを開閉可能に蓋部材５０を連結することができる。
【００３１】
図６は、図５のＡ−Ａ線断面図である。
図６に示すように、軸受部２５において溝部２５ａとレール部２５ｂとは、略ハート形状を形成する。すなわち、溝部２５ａとレール部２５ｂとの間には、回動軸部５０ｂが乗り越えて溝部２５ａからレール部２５ｂへ移動するように、電池３０、３１の挿入方向へ向かって凸となる突起２５ｃが形成されている。そして、軸受部２５の溝部２５ａとレール部２５ｂとには、蓋部材５０の回動軸部５０ｂを移動可能に挿入することができる。溝部２５ａとレール部２５ｂとは、略ハート形状に形成されているので、蓋部材５０の動作において、第１位置（図１４参照）Ａ１、第２位置（図１５参照）Ａ２、第３位置（図１６参照）Ａ３、第４位置（図１７参照）Ａ４のそれぞれにおいて回動軸部５０ｂを支持可能である。
【００３２】
図７は、図５のＢ−Ｂ線断面図である。図８は、図５のＣ−Ｃ線断面図である。
図７、図８に示すように、ケース２０の収容部２２は、電池３０、３１の姿勢を所定の角度に保つための複数のリブ２２ｂを有する。
【００３３】
図９は、蓋部材５０の平面図である。図１０は、蓋部材５０の底面図である。図１１は、図８のＤ−Ｄ線断面図である。図１２は、電池と蓋部材との接続状態を示す説明図で、（ａ）は正しく接続されている時、（ｂ）は逆差し時を示す。図１３は、電池端子金具の外観斜視図である。
【００３４】
図９に示すように、蓋部材５０は、収容部２２の開口部２２ａを覆う蓋本体５０ａと、蓋本体５０ａに形成された一対の回動軸部５０ｂ、５０ｂと、回動軸部５０ｂ、５０ｂの軸中心に直交する方向に延びて蓋本体５０ａに形成された爪部５０ｃと、を有する。
【００３５】
図１０に示すように、蓋本体５０ａは、軸受部２５、２５側の側部に側板５０ｄ、５０ｄを有し、これら側板５０ｄ、５０ｄから軸受部２５、２５に向かって軸形状に突出する回動軸部５０ｂ、５０ｂを有する。また、蓋本体５０ａは、前板５０ｅを有し、この前板５０ｅの中央部の裏側に矩形の爪部５０ｃを形成する。また、蓋本体５０ａは、天板５０ｆの一端側である電池３０のプラス端子３０ａを接続する側に電池当接部５０ｇを有する。この電池当接部５０ｇについては後述する。そして、蓋本体５０ａには、天板５０ｆの裏面に単一の電池端子金具５１が固定されている。
【００３６】
図１３に示すように、電池端子金具５１は、導電部材によって一体成形されている。電池端子金具５１は、板形状を有する金具本体５１ａの一方に配されたプラス接続用凸部５１ｂと、金具本体５１ａの他方に配されたマイナス接続用凸部５１ｃとを有する。ここで、プラス接続用凸部５１ｂは、単純な有天の筒形状を有するが、マイナス接続用凸部５１ｃは、丸孔５１ｄの円周上の３個所に三角形状に切り起こした形状を有する。このとき、万が一に、マイナス接続用凸部５１ｃに対して電池３０のプラス端子３０ａを組付けようとした場合、電池３０のプラス端子３０ａが２個のマイナス接続用凸部５１ｃの間を通過してから電池端子金具５１の丸孔５１ｄの中央部に配置してマイナス接続用凸部５１ｃに接触せずに導通経路を形成しない。そのため、電池３１を逆差ししていることを使用者に促すことができる。
【００３７】
図１１に戻り、回動軸部５０ｂは、側板５０ｄの突板５０ｈに形成されている。マイナス接続用凸部５１ｃには、電池３１のマイナス端子３１ａを接続する。このとき、マイナス接続用凸部５１ｃは、蓋部材５０がマンシェット１０から離れる方向に移動したとしても、電池３１のマイナス端子３１ａには凸部が存在しないため引っ掛ることがない。
これに対して、マイナス接続用凸部５１ｃに電池３０のプラス端子３０ａを接続すると、電池３０のプラス端子３０ａの周辺部がマイナス接続用凸部５１ｃ当接する。このとき、マイナス接続用凸部５１ｃは、丸孔５１ｄの円周上の３個所に三角形状に切り起こした形状を有するために、蓋部材５０がマンシェット１０から離れる方向に移動したとしても、電池３０のプラス端子３０ａに引っ掛ることがない。
【００３８】
図１２に示すように、万が一に、プラス接続用凸部５１ｂに対して、電池３１のマイナス端子３１ａを接続しようとした場合、蓋本体５０ａは、天板５０ｆの一端側である電池３０のプラス端子３０ａを接続する側に電池当接部５０ｇを有するために、電池３１が電池当接部５０ｇに当接することによりプラス接続用凸部５１ｂに対して隙間Ｓを有して導通経路を形成しない。そのため、電池３１を逆差ししていることを使用者に促すことができる。
【００３９】
次に、蓋部材５０の動作について説明する。図１４は、蓋部材５０の動作を説明する第１段階の模式図である。図１５は、蓋部材５０の動作を説明する第２段階の模式図である。図１６は、蓋部材５０の動作を説明する第３段階の模式図である。図１７は、蓋部材５０の動作を説明する第４段階の模式図である。
【００４０】
図１４に示すように、蓋部材５０は、収容部２２の開口部２２ａを閉塞している。このとき、回動軸部５０ｂは溝部２５ａの第１位置Ａ１に係止しており、爪部５０ｃは窪み部２０ａに挿入されている。そのため、蓋部材５０は、収容部２２の開口部２２ａを閉塞してロック状態にある。このとき、蓋部材５０に対して、マンシェット１０の装着状態における径方向に何らかの外力が与えられたとしても、蓋部材５０は、回動軸部５０ｂの溝部２５ａの第１位置Ａ１への係止及び、爪部５０ｃの窪み部２０ａへの挿入によって、外力によって動くことはない。すなわち、蓋部材５０は、意図せずに開放してしまうことがない。
【００４１】
図１５に示すように、蓋部材５０を開放するに際しては、使用者が片手の指で蓋部材５０の基端側である回動軸部５０ｂ側を押下する。蓋部材５０の基端側の押下に伴い、回動軸部５０ｂは、溝部２５ａの第１位置Ａ１から下方に向けて移動する。このとき、軸受部２５の溝部２５ａとレール部２５ｂとが略ハート形状であるために、回動軸部５０ｂは、第１位置Ａ１から第２位置Ａ２へスムースに移動する。これに伴い、回動軸部５０ｂは、第２位置Ａ２を支点として回動し、蓋本体５０ａは、マンシェット１０から離れる前端部を持ち上げるように傾斜しながら、マンシェット１０から離れる方向に変位する。そのため、爪部５０ｃは窪み部２０ａから外れ、ロック状態は解除する。
【００４２】
図１６に示すように、次に、使用者が片手の指で蓋部材５０の基端側である回動軸部５０ｂ側を押下し続ける。蓋部材５０の基端側のさらなる押下により、回動軸部５０ｂは、溝部２５ａの第２位置Ａ２からマンシェット１０から離れる方向に向けて移動する。このとき、軸受部２５の溝部２５ａとレール部２５ｂとが略ハート形状であるために、回動軸部５０ｂは、第２位置Ａ１から第３位置Ａ３へスムースに移動する。これに伴い、回動軸部５０ｂは、第３位置Ａ３を支点として回動し、蓋本体５０ａは、マンシェット１０から離れる前端部を持ち上げるようにさらに傾斜を続ける。
【００４３】
図１７に示すように、そして、使用者が片手の指で蓋部材５０の基端側である回動軸部５０ｂ側をさらに押下し続ける。蓋部材５０の基端側のさらなる押下により、回動軸部５０ｂは、溝部２５ａの第３位置Ａ３から第４位置Ａ４に向けて移動する。このとき、軸受部２５の溝部２５ａとレール部２５ｂとが略ハート形状であるために、回動軸部５０ｂは、第３位置Ａ１から第４位置Ａ４へスムースに移動する。これに伴い、回動軸部５０ｂは、第４位置Ａ４を支点として回動し、蓋本体５０ａは、マンシェット１０から離れる前端部を持ち上げるように傾斜して収容部２２を開放する。そのため、使用者は、片手の指で、解放された収容部２２から電池３０、３１の交換を行うことになる。
【００４４】
以上説明したように、体表装着型携帯電子機器１００によれば、意図せずに蓋部材５０が開放してしまうことがなく、人体Ｐに装着したままで片手で電池３０、３１の交換を簡単に行うことができる。
【００４５】
また、体表装着型携帯電子機器１００によれば、軸受部２５の溝部２５ａとレール部２５ｂとが略ハート形状であるために、回動軸部５０ｂを、第１位置Ａ１から第２位置Ａ２へ、第２位置Ａ２から第３位置Ａ３へ、第３位置Ａ３から第４位置Ａ４へスムースに移動できる。
【００４６】
また、体表装着型携帯電子機器１００によれば、バネ接点２３、２４が接点電極であるために、電池３０、３１の自重を利用して十分な容量の通電経路を形成できる。
【００４７】
また、体表装着型携帯電子機器１００によれば、電池３０、３１は、直列接続され、バネ接点２３、２４が付勢部材であるために、電池３０、３１の直列回路を簡単に形成できる。
【００４８】
また、体表装着型携帯電子機器１００によれば、万が一に、電池３１のマイナス端子３１ａを電池端子金具５１のプラス接続用凸部５１ｂに接続しようとした場合、電池３１が電池当接部５０ｇに当接して導通経路を形成しないので、電池３１の逆差しを防止できる。
【００４９】
また、体表装着型携帯電子機器１００によれば、万が一に、電池端子金具５１のマイナス接続用凸部５１ｃに対して電池３０のプラス端子３０ａを組付けようとしても、電池３０のプラス端子３０ａが電池端子金具５１の丸孔５１ｄの中央部に配置して、マイナス接続用凸部５１ｃに接触せずに導通経路を形成しないので、電池３１を逆差ししていることを使用者に促すことができる。
【００５０】
また、体表装着型携帯電子機器１００によれば、電池端子金具５１は、プラス接続用凸部５１ｂとマイナス接続用凸部５１ｃとの異形によって、電池３０、３１の極性を選択できる。
【００５１】
なお、体表装着型携帯電子機器は、前述した一実施形態に限定するものでなく、適宜な変形や改良等が可能である。
【００５２】
例えば、電池の数は、図示した２本に限定されず、コスト及び重量を考慮した数を選択するのが良い。
【符号の説明】
【００５３】
１００  体表装着型携帯電子機器
１０  マンシェット
１１  折り返し部
２０  ケース
２０ａ  窪み部
２１  電子回路
２２  収容部
２２ａ  開口部
２２ｂ  リブ
２３、２４  バネ接点
２５  軸受部
２５ａ  溝部
２５ｂ  レール部
３０、３１  電池
３０ａ  プラス端子
３１ａ  マイナス端子
４０  ロック機構
５０  蓋部材
５０ａ  蓋本体
５０ｂ  回動軸部
５０ｃ  爪部
５０ｄ  側板
５０ｅ  前板
５０ｆ  天板
５０ｇ  電池当接部
５０ｈ  突板
５１  電池端子金具
５１ａ  金具本体
５１ｂ  プラス接続用凸部
５１ｃ  マイナス接続用凸部
５１ｄ  丸孔
Ｐ  人体
Ｓ  隙間
【図１】
0006414878.tif 000002
【図２】
0006414878.tif 000003
【図３】
0006414878.tif 000004
【図４】
0006414878.tif 000005
【図５】
0006414878.tif 000006
【図６】
0006414878.tif 000007
【図７】
0006414878.tif 000008
【図８】
0006414878.tif 000009
【図９】
0006414878.tif 000010
【図１０】
0006414878.tif 000011
【図１１】
0006414878.tif 000012
【図１２】
0006414878.tif 000013
【図１３】
0006414878.tif 000014
【図１４】
0006414878.tif 000015
【図１５】
0006414878.tif 000016
【図１６】
0006414878.tif 000017
【図１７】
0006414878.tif 000018